(57)【要約】 【課題】  本発明は、雪止め部材を取付ける屋根面上の使用面積をそれぞれ最少限に抑え、多数の雪止め部材を、屋根面の美観を害することなく効果的に設置するとともに取付け施工を簡単にすることを目的とする。 【解決手段】  基台部材の内側部において屋根面への取付固定具７，７を設置し、このように成る基台部材上の取付固定具を線材製の立体形状から成る雪止め部材により被套して成る屋根用雪止め具である。また、線材製の雪止め部材が一つ山の傾斜面の立体形状から成る屋根用雪止め具であり、また線材製の雪止め部材が二つ山の傾斜面の立体形状から成る屋根用雪止め具であり、また線材製の雪止め部材が四傾斜面の立体形状から成る屋根用雪止め具である。【選択図】    図１
2016079715.tif 000002
【特許請求の範囲】
【請求項１】
基台部材の内側部において屋根面への取付固定具を設置し、このように成る基台部材上の取付固定具を線材製の立体形状から成る雪止め部材により被套して成ることを特徴とする屋根用雪止め具。
【請求項２】
線材製の雪止め部材が一つ山の傾斜面の立体形状から成る請求項１に記載した屋根用雪止め具。
【請求項３】
線材製の雪止め部材が二つ山の傾斜面の立体形状から成る請求項１に記載した屋根用雪止め具。
【請求項４】
線材製の雪止め部材が四傾斜面の立体形状から成ることを特徴とする請求項１に記載した屋根用雪止め具。
【発明の詳細な説明】
【技術分野】
【０００１】
本発明は、屋根における雪止め具に関するものである。
【背景技術】
【０００２】
本発明の出願人は、日本家屋における屋根面の美観を考慮することを雪止め具設置の発想の基本として、従来、板材によって構成されていた雪止め具材についての発想を全面転換し、金属線材によって構成することを意図して特願２０１１−８９０１０号（特許文献１参照）に見られるような構成の雪止め兼消雪装置を提供して来た。
【０００３】
しかしながら、各種の屋根面に取付けるための雪止め部材の取付け具は、雪止め部材の一端部に掛け止めた後、当該部材の外側部において設置するようにしていたため、屋根面全体から見ると、１個設置のための雪止め部材の面積は比較的広範囲を必要とし不経済的であったし、屋根面における美観の維持には限界があった。
【先行技術文献】
【特許文献】
【０００４】
【特許文献１】特開２０１２−２２９６０２号公報
【発明の概要】
【発明が解決しようとする課題】
【０００５】
そこで、本発明は、前記のような欠点を一掃し、各雪止め部材を取付ける屋根面上の使用面積をそれぞれ最少限に抑え、出来るだけ多数の雪止め部材を、屋根面の美観を害することなく効果的に設置するとともに取付け施工を簡単にすることを目的とするものである。
【課題を解決するための手段】
【０００６】
本発明は、任意形状に成る線材製の雪止め部材を被套する基台部材の内側部において屋根面への取付固定具を設置して成るもので、この取付固定具の数は雪止め部材の大きさに合わせて単数又は複数となるものである。
【発明の効果】
【０００７】
第１に、屋根面への取付固定具が線材製の雪止め部材の内側部において設置しているから、多くの雪止め部材の全体をまとまりよく屋根面上に取付け施工することができることになる。
【０００８】
第２に、線材が有する積雪への切断力と消雪力を十分に発揮することができる屋根面上の雪止め具となる。
【０００９】
第３に、取付固定具は雪止め部材の大きさに合わせて、単数のみならず、複数を設置することができるから、雪止め具を比較的小さいものから大きいものに構成することができる。
【図面の簡単な説明】
【００１０】
【図１】実施例１の直角三角形態の雪止め具の斜視図
【図２】図１の側面図
【図３】図１の平面図
【図４】図３のＡ−Ａ線断面図
【図５】実施例２の別直角三角形態の雪止め具の斜視図
【図６】図５の側面図
【図７】実施例３の二つ山形態の雪止め具の斜視図
【図８】図７の側面図
【発明を実施するための形態】
【００１１】
線材製の雪止め部材の立方体形状が、一傾斜面形状であろうと二傾斜面形状であろうと、いずれもその内側空間部において屋根面への取付固定具を設置するものであり、その取付固定具の個数は雪止め部材の大きさによって単数か複数かを決めることになる。
【実施例１】
【００１２】
図１乃至図４について説明する。
【００１３】
１，１，１’，１’は全体が四角形状に成る角部位置に設ける台板で、この台板の前後両側部間には、側面正三角形状に成る線材を曲折して底辺部２・・・，垂直部３・・・，傾斜部４・・・から成る線部材を等間隔をおいて立設する。
【００１４】
前記全体が四角形状の各角部位置に設けた台板の設置形態を総称して基台部材という。
【００１５】
５・・・・は前記台板上に立設した前記線材の垂直部３・・・間及び傾斜部４・・・間の適所に架設した横線材で、その上下間隔は任意である。
【００１６】
６は全体の２本の中間線材の底辺部２，２間の適所に設けた中板で、この中板には、屋根面部分への取付固定具７を掛止部８を介して取り付けるようにする。
【００１７】
前記屋根面部分への取付固定具７は、基板部９と締付上部１０とこの間に締結する螺子部１１とから成るものである。
【００１８】
１２，１２は前記左右両側部の垂直部３と傾斜部４との間に架設した補助線材である。
【実施例２】
【００１９】
図５及び図６について説明する。
【００２０】
この実施例は、屋根面部分への２個の取付固定具７，７が雪止め部材の内部に収蔵されて設置されている点では実施例１の場合と同じであるが、全体が四角形状に成る屋根面部分への取付けのための前側中央部には台板１を、後側中央部にも台板１’を設ける。
【００２１】
この前後の台板１，１’の前後両側部間においては、側面三角形状に成る線材を曲折して底辺部２・・・，垂直部３・・・，傾斜部４・・・から成る線部材を等間隔に立設する。
【００２２】
５・・・は前記線部材を垂直部３・・・間及び傾斜部４・・・間の適所に架設した横線材で、その上下間隔は任意である。
【００２３】
６は全体の２本の外側線材の底辺部２，２間の適所に設けた中板で、この中板には屋根面部分への取付固定具７，７を掛止部８，８を介してそれぞれ取付けるようにする。
【００２４】
前記屋根面部分への取付固定具７，７は、それぞれ基板部９，９と締付上部１０，１０とこの間に締結する螺子部１１，１１から成る。
【００２５】
１２，１２は前記左右両側部の線材の垂直部３と傾斜部４との間に架設した支線材である。
【実施例３】
【００２６】
図７及び図８について説明する。
【００２７】
この実施例は、屋根面部分への２個の取付固定具７，７が雪止め部材の内部に収蔵されて設置されている点では実施例１，２と共通であるが、雪止め部材の全体を構成する線材は頂点を一つとして二つ山傾斜面を有する点で相違するだけである。
【００２８】
全体が四角形状になる屋根面部分への取付けのための前側中央部には台板１を、後側左右両側部には台板１’，１’を設ける。
【００２９】
前記全体が四角形状の各角部位置に設けた台板の設置形態を総称して基台部材という。
【００３０】
この前後の台板１と台板１’，１’の前後両側部間においては、中央部に頂上を有する前後に二つ山に成る線材を曲折して一つの底辺部２・・・と二つの傾斜部４・・・，４・・・から成る線部材を等間隔に立設する。
【００３１】
５・・・は前記線部材の傾斜部４・・・，４・・・間の適所に架設した横線材で、その上下間隔は任意である。
【００３２】
６は全体の２本の外側線材の底辺部２，２間の適所に設けた中板で、この中板には屋根面部分への取付固定具７，７を掛止部８，８を介してそれぞれ取付けるようにする。
【００３３】
前記屋根面部分への取付固定具７，７は、それぞれ基板部９，９と締付上部１０，１０とこの間に締結する螺子部１１，１１から成る。
【００３４】
１２，１２は前記左右両側部の線材の底辺部２，２と傾斜部４，４との間に架設した支線材である。
【符号の説明】
【００３５】
１，１，１’，１’            台板
２・・・                      底辺部
３・・・                      垂直部
４・・・                      傾斜部
５・・・                      横線材
６                            中板
７，７                        取付固定具
８，８                        掛止部
９，９                        基板部
１０，１０                    締付上部
１１，１１                    螺子部
１２，１２                    支線材
【図１】
2016079715.tif 000003
【図２】
2016079715.tif 000004
【図３】
2016079715.tif 000005
【図４】
2016079715.tif 000006
【図５】
2016079715.tif 000007
【図６】
2016079715.tif 000008
【図７】
2016079715.tif 000009
【図８】
2016079715.tif 000010